(57)【要約】モバイル端末と基地局との間の無線通信時に使用されることになる無線リソースをモバイル端末にシグナリングする方法が説明される。基地局は複数の無線リソースを提供する。本方法は、複数の無線リソースを１組の区分（１２４、１２６）に分割するステップであって、１組の区分の各区分は、１組の仮想ブロック（１２８、．．．、１３８）を含み、１組の仮想ブロックの各仮想ブロックは、複数の無線リソースのうちの１つまたは複数の無線リソースに排他的にマッピングされる、ステップと、１組の仮想ブロックのうちの１つまたは複数の仮想ブロックの集まりがそれによって識別可能である識別フォーマット（１４４）を使用するステップと、モバイル端末と基地局との間の通信のために少なくとも第１の仮想ブロック（１３０、１３２）を割り当てるステップであって、少なくとも第１の仮想ブロックの第１のブロック識別子は識別フォーマットによる第１の仕様（１４６）によって識別可能である、ステップと、第１のブロック識別子および第１の仕様をモバイル端末に送信するステップとを含む。
2010534437.tif 000002
【特許請求の範囲】
【請求項１】
モバイル端末と基地局（１０２）との間の無線通信時に使用されることになる無線リソースをモバイル端末（１０４）にシグナリングする方法であって、前記基地局は複数の無線リソース（１２２）を提供し、前記方法が、
前記複数の無線リソースを１組の区分（１２４、１２６）に分割するステップを含み、前記１組の区分の各区分は１組の仮想ブロック（１２８、．．．、１３８）を含み、前記１組の仮想ブロックの各仮想ブロックは前記複数の無線リソースのうちの１つまたは複数の無線リソースに排他的にマッピングされ、さらに、
前記１組の仮想ブロックのうちの１つまたは複数の仮想ブロックのどの集まりが識別可能かに従って識別フォーマット（１４４）を使用するステップと、
モバイル端末と基地局との間の通信に対し少なくとも第１の仮想ブロック（１３０、１３２）を割り当てるステップとを含み、前記少なくとも第１の仮想ブロックは、前記識別フォーマットによる第１の仕様（１４６）によって識別可能であり、さらに、
前記第１の仕様を前記モバイル端末に送信するステップを含む、方法。
【請求項２】
前記１組の区分の各区分にブロック識別子（１４０、１４２）が割り当てられ、前記少なくとも第１の仮想ブロックは第１の区分（１２４）に含まれ、前記第１の区分は第１のブロック識別子（１４８）に関連付けられ、そして、前記第１のブロック識別子は前記モバイル端末にさらに送信される、請求項１に記載の方法。
【請求項３】
前記モバイル端末は、前記識別フォーマットによって指定された前記少なくとも第１の仮想ブロックを判定し、前記基地局へのアップリンク通信のために前記少なくとも第１の仮想ブロックに関連付けられた前記無線リソースを使用するように適応される、請求項１に記載の方法。
【請求項４】
タイミング指示（４０８）を送信するステップをさらに含み、前記タイミング指示は、いくつの送信時間間隔で、前記第１の区分および前記少なくとも第１の仮想ブロックが前記モバイル端末との通信のために用いられるかを指定する、請求項２に記載の方法。
【請求項５】
前記識別フォーマット（１４４）は、前記少なくとも第１の仮想ブロックを指定するためにツリー手法（５０６、６１０、７１２、８０４、９０８）に従う、請求項１に記載の方法。
【請求項６】
区分の前記１組の仮想ブロックは、１組の分散仮想リソース・ブロック（Ｄ−ＶＲＢ）および１組の局部仮想リソース・ブロック（Ｌ−ＶＲＢ）を含み、前記少なくとも第１の仮想ブロックは、前記サブセットのＤ−ＶＲＢのうちの１つまたは複数のＤ−ＶＲＢ、および／または前記サブセットのＬ−ＶＲＢのうちの１つまたは複数のＬ−ＶＲＢに関し、前記１つまたは複数のＤ−ＶＲＢおよび／あるいは１つまたは複数のＬ−ＶＲＢは、前記第１の仕様によって識別可能である、請求項１に記載の方法。
【請求項７】
前記少なくとも第１の仮想ブロックに関して分散送信または局部送信および／あるいは前記識別フォーマットを示すインジケータ（４０４）が前記モバイル端末にさらに送信される、請求項６に記載の方法。
【請求項８】
モバイル端末と基地局との間の無線通信時に使用されることになる無線リソースをモバイル端末にシグナリングするコンピュータプログラム製品であって、前記基地局は複数の無線リソースを提供し、前記コンピュータプログラム製品は、コンピュータ可読プログラムを含むコンピュータ使用可能媒体を含み、前記コンピュータ可読プログラムは、コンピュータ上で実行された場合、前記コンピュータに、
前記複数の無線リソースを１組の区分に分割させるものであり、前記１組の区分の各区分は、１組の仮想ブロックを含み、前記１組の仮想ブロックの各仮想ブロックは、前記複数の無線リソースのうちの１つまたは複数の無線リソースに排他的にマッピングされ、さらに、
前記１組の仮想ブロックのうちの１つまたは複数の仮想ブロックの集まりがそれによって識別可能である識別フォーマットを使用させ、
前記モバイル端末と前記基地局との間の通信のために少なくとも第１の仮想ブロックを割り当てさせるものであり、前記少なくとも第１の仮想ブロックは、前記識別フォーマットによる第１の仕様によって識別可能であり、さらに、
第１のブロック識別子および前記第１の仕様を前記モバイル端末に送信させる、
コンピュータプログラム製品。
【請求項９】
通信ネットワーク構成要素であって、
基地局の複数の無線リソースを１組の区分に分割する手段を含み、前記１組の区分の各区分は１組の仮想ブロックを含み、前記１組の仮想ブロックの各仮想ブロックは前記複数の無線リソースのうちの１つまたは複数の無線リソースに排他的にマッピングされ、さらに、
前記１組の仮想ブロックのうちの１つまたは複数の仮想ブロックの集まりがそれによって識別可能である識別フォーマットを使用する手段と、
モバイル端末と前記モバイル端末にサービスする基地局との間の通信のために少なくとも第１の仮想ブロックを割り当てる手段とを含み、前記少なくとも第１の仮想ブロックは前記識別フォーマットによる第１の仕様によって識別可能であり、さらに、
前記第１の仕様を前記モバイル端末に送信する手段とを含む、通信ネットワーク構成要素。
【請求項１０】
複数の無線リソースを提供する基地局と、
モバイル端末と、
請求項９に記載の１つまたは複数の通信ネットワーク構成要素と、を含む通信ネットワーク。
【発明の詳細な説明】
【技術分野】
【０００１】
本発明は、モバイル端末と基地局との間の無線通信時に使用されることになる無線リソースをモバイル端末に、本発明による方法を実施するようにとのコンピュータ実行可能命令を含むコンピュータプログラム製品に、および本発明による方法を実施するための手段を含む通信ネットワークにシグナリングする方法に関する。
【背景技術】
【０００２】
周波数分割多重（ＦＤＭ）、例えば無線通信システムによってしばしば利用される方法では、複数の信号が同時に、しかしそれぞれ異なる周波数で、送出される。ＯＦＤＭでは、単一の送信機が多くの（通常、数十から数千の）それぞれ異なる直交周波数で送信する。これらの周波数はまたサブキャリアと呼ばれ、利用可能なサブキャリア全体はＯＦＤＭスペクトルを形成する。
【０００３】
サブキャリアは、基地局と基地局によってサービスされるモバイル端末との間のデータの送信のためにＦＤＭシステムにおいて使用される無線リソースとみなされうる。その意味で、ＦＤＭスペクトルは、特定のモバイル端末との通信のために、それらのうちのいくつかが選出されることになる複数の無線リソースとみなされうる。他の実施例として、複数の無線リソースは符号分割多重（ＣＤＭＡ）における複数の符号に関する。
【０００４】
無線リソースの送信のための（地理的）送信エリアは、複数の送信セルに細分割され、各送信セルはそれぞれの基地局またはノードＢによってサービスされる。送信セルの中にあるモバイル端末、例えばユーザ機器、または移動局は、送信システムの中での通信のためにリソース、すなわち無線リソースを割り当てられる。無線リソースの割当ては、基地局によって制御される。リソースの割当ては、各モバイル端末にシグナリングされなければならない。
【発明の概要】
【発明が解決しようとする課題】
【０００５】
本発明の目的は、モバイル端末とモバイル端末にサービスする基地局との間の無線通信時に使用されることになる無線リソースをモバイル端末にシグナリングする代替方法を提供することである。
【課題を解決するための手段】
【０００６】
本発明の第１の態様によれば、モバイル端末と基地局との間の無線通信時に使用されることになる無線リソースをモバイル端末にシグナリングする方法が提供されている。基地局は、モバイル端末に関してサービング基地局である。本発明の一実施形態によれば、基地局は複数の無線リソースを提供する。本発明による方法の１ステップによれば、複数の無線リソースは１組の区分に分割され、１組の区分の各区分は１組の仮想ブロックを含む。１組の仮想ブロックの各仮想ブロックは、複数の無線リソースのうちの１つまたは複数の無線リソースに排他的にマッピングされる。次いで、１組の仮想ブロックの１つまたは複数の仮想ブロックの集まりがそれによって識別可能である識別フォーマットが利用される。さらに、モバイル端末と基地局との間の通信のために少なくとも第１の仮想ブロックが割り当てられる。少なくとも第１の仮想ブロックは、識別フォーマットによる第１の仕様によって識別可能である。本方法による別のステップによれば、第１の仕様はモバイル端末に送信される。
【０００７】
本発明の一実施形態によれば、ブロック識別子が１組の区分の各区分に割り当てられる。少なくとも第１の仮想ブロックは、１組の区分の第１の区分に含まれ、第１の区分は、第１のブロック識別子に関連付けられ、第１のブロック識別子は、モバイル端末に送信される。
【０００８】
したがって、利用可能な複数の無線リソースは１組の区分に分割され、各区分は１組の仮想ブロックに分割される。区分内の１つまたは複数の仮想ブロックの各仮想ブロックまたは集まりは、予め提供された識別フォーマットによって識別可能である。したがって、モバイル端末と基地局との間の通信のために利用される少なくとも第１の仮想ブロックは、第１の仕様によって識別され、第１のブロック識別子は、少なくとも第１の仮想ブロックが属する第１の区分を指定する。
【０００９】
次いで、第１のブロック識別子および第１の仕様は、例えばメッセージに入れて、モバイル端末に送信される。
【００１０】
識別フォーマットの使用は、１組の仮想ブロック内の仮想ブロックが番号の形で表されうる第１の仕様によって簡単に識別されうるので、特に有利である。同様に、第１のブロック識別子は番号によって表されうる。これは、本発明のこの実施形態によれば、モバイル端末に送信されなければならないのは第１のブロック識別子および第１の仕様だけなので、基地局によってモバイル端末との通信のために使用されることになる少なくとも第１の仮想ブロックに関する無線リソースのシグナリングが比較的低いオーバヘッドで行われうるという利点を提供する。
【００１１】
本発明の一実施形態によれば、第１のブロック識別子を送信するために直接シグナリングが利用され、第１の仕様をモバイル端末に送信するためにビットマップ・シグナリングが利用される。これは、第１のブロック識別子が第１のビットのシーケンスによって提供され、第１の仕様が別のビットのシーケンスまたは複数のビットのシーケンスによって提供されることを意味する。全てのビットシーケンスは、特に、比較的短い識別フォーマットの使用のためである。これは、第１の区分の少なくとも第１の仮想ブロックがモバイル端末との通信のために利用されることをシグナリングするために利用されるビット数が比較的小さいままにしておかれる可能性があり、したがって、基地局のリソースが節約されうるという利点を提供する。
【００１２】
本発明の一実施形態によれば、モバイル端末は、識別フォーマットによって指定された少なくとも第１の仮想ブロックを判定し、基地局との通信のために少なくとも第１の仮想ブロックに関連付けられた無線リソースを使用するように適応される。したがって、少なくとも第１の仮想ブロックが基地局とモバイル端末との間の通信のために利用されることになることを判定するためにモバイル端末が第１の仕様および第１のブロック識別子を使用できるように、識別フォーマットは前もってモバイル端末に知られていなければならない。さらに、その場合、モバイル端末は、基地局とのアップリンク通信のために少なくとも第１の仮想ブロックに関する無線リソースを使用できるようにされる。
【００１３】
本発明の一実施形態によれば、モバイル端末にタイミング指示が送信される。タイミング指示は、第１の区分および少なくとも第１の仮想ブロックが、モバイル端末との通信のために、いくつの送信時間間隔のために利用されることになるかを指定する。
【００１４】
本発明の一実施形態によれば、連続したブロック番号が第１の区分の１組の仮想ブロックの少なくとも一部分に識別フォーマットによって割り当てられる。少なくとも第１の仮想ブロックは、割り当てられた連続したブロック番号を有する仮想ブロックの総数に関し、第１の仕様は、仮想ブロックに割り当てられたブロック番号のうちの最も低いブロック番号および仮想ブロックの総数を含む。
【００１５】
本発明の一実施形態によれば、仮想ブロックの総数は、１から、送信時間間隔ごとにモバイル端末のために割り当てられうる仮想ブロックの最大数までの間の範囲内にある。
【００１６】
本発明の一実施形態によれば、識別フォーマットは、少なくとも第１の仮想ブロックを指定するためにツリー手法に従う。
【００１７】
本発明の一実施形態によれば、識別フォーマットは、少なくとも第１の仮想ブロックを指定するためにパスカルの三角形を利用する。
【００１８】
本発明の一実施形態によれば、区分の１組の仮想ブロックは、１組の分散仮想リソース・ブロック（Ｄ−ＶＲＢ）および１組の局部仮想リソース・ブロック（Ｌ−ＶＲＢ）を含む。少なくとも第１の仮想ブロックは、１組のＤ−ＶＲＢの１つまたは複数のＤ−ＶＲＢおよび／または１組のＬ−ＶＲＢの１つまたは複数のＬ−ＶＲＢに関する。第１の仕様は、第１の仮想ブロックに関する１つまたは複数のＤ−ＶＲＢおよび／または１つまたは複数のＬ−ＶＲＢを識別することを可能にする。
【００１９】
本発明の一実施形態によれば、分散仮想リソース・ブロックのサイズは適応可能である。具体的には、仮想リソース・ブロックの割当ては、基地局の構成要素であるスケジューラによって実行される。Ｄ−ＶＲＢのサイズは適応可能であり、送信時間間隔ごとに変わる可能性があるので、特に、仮想リソース・ブロックに関連付けられた複数の無線リソースのうちの無線リソースが大量のモバイル端末のために割り当てられなければならない場合は、スケジューラに何らかの柔軟性を提供する。
【００２０】
本発明の一実施形態によれば、１組の区分のうちの各区分は、サイズが同じである。したがって、全ての区分は、同一で重複しない量の無線リソースを含む。
【００２１】
本発明の一実施形態によれば、インジケータが、仮想ブロックを記述するためにどの識別フォーマットが利用されるかを示す。したがって、インジケータは、仮想ブロックを記述し識別するために直接シグナリングか、ビットマップ・シグナリングか、それともツリー手法が利用されるかを指定する。識別フォーマットは、例えば、モバイル端末のためにどの無線リソースが割り当てられたかをシグナリングするために最も低いシグナリング・オーバヘッドが必要とされるようなアルゴリズムによって選択されうるであろう。
【００２２】
本発明の一実施形態によれば、少なくとも第１の仮想ブロックに関して分散送信または局部送信を示すインジケータがモバイル端末にさらに送信される。したがって、分散仮想リソース・ブロックまたは局部仮想リソース・ブロックの割当ては、インジケータの使用によってモバイル端末にシグナリングされる。
【００２３】
本発明の一実施形態によれば、無線リソースはサブキャリアに関し、複数の無線リソースはＯＦＤＭスペクトルに関する。
【００２４】
本発明の第２の態様によれば、モバイル端末とモバイル端末にサービスする基地局との間の無線通信時に使用されることになる無線リソースをモバイル端末にシグナリングするためのコンピュータプログラム製品が提供され、基地局は複数の無線リソースを提供し、このコンピュータプログラム製品は、コンピュータ可読プログラムを含むコンピュータ使用可能媒体を含み、コンピュータ可読プログラムは、コンピュータ上で実行された場合、コンピュータに本発明による方法によって諸ステップを実施させる。
【００２５】
本発明の第３の態様によれば、通信ネットワークが提供される。本発明の一実施形態によれば、このネットワークは、複数の無線リソースを提供する基地局、およびモバイル端末を含む。この通信ネットワークは、複数の無線リソースを１組の区分に分割するための手段をさらに有し、各区分は１組の仮想ブロックを含み、１組の仮想ブロックの各仮想ブロックは、複数の無線リソースのうちの１つまたは複数の無線リソースに排他的にマッピングされる。通信ネットワークは、１組の区分の各区分にブロック識別子を割り当てるための手段、および区分の１組の仮想ブロックの１つまたは複数の仮想ブロックの集まりがそれによって識別可能である識別フォーマットを使用するための手段をさらに有する。通信ネットワークは、モバイル端末と基地局との間の通信のために１組の区分の第１の区分の少なくとも第１の仮想ブロックを割り当てるための手段をさらに含み、第１の区分は第１のブロック識別子に関連付けられ、少なくとも第１の仮想ブロックは、識別フォーマットによる第１の仕様によって識別可能である。通信ネットワークは、第１のブロック識別子および第１の仕様をモバイル端末に送信するための手段をさらに含む。
【００２６】
第４の態様によれば、
−  基地局の複数の無線リソースを１組の区分に分割するための手段であって、１組の区分の各区分は１組の仮想ブロックを含み、１組の仮想ブロックの各仮想ブロックは、複数の無線リソースのうちの１つまたは複数の無線リソースに排他的にマッピングされる、手段と、
−  １組の仮想ブロックのうちの１つまたは複数の仮想ブロックの集まりがそれによって識別可能である識別フォーマットを使用するための手段と、
−  モバイル端末と基地局との間の通信のために少なくとも第１の仮想ブロックを割り当てるための手段であって、少なくとも第１の仮想ブロックは、識別フォーマットによる第１の仕様によって識別可能であり、基地局はモバイル端末にサービスする、手段と、
−  第１の仕様をモバイル端末に送信するための手段とを含む通信ネットワーク構成要素が提供される。
【００２７】
本発明の以下の諸実施形態では、図面を参照しながら、例としてのみ、より詳細に説明を行う。
【図面の簡単な説明】
【００２８】
【図１】無線通信ネットワークの概略ブロック図である。
【図２】本発明による方法によって実施される諸ステップを例示する流れ図である。
【図３】複数の無線リソースのうちの無線リソースが様々な区分および仮想ブロックにどのように分割されるかを例示する図である。
【図４】シグナリング・メッセージのブロック図である。
【図５】識別フォーマットがツリー手法の使用によって仮想ブロックを識別するためにどのように使用されるかを例示する図である。
【図６】識別フォーマットがツリー手法の使用によって仮想ブロックを識別するためにどのように使用されるかを例示する別の図である。
【図７】識別フォーマットがツリー手法の使用によって仮想ブロックを識別するためにどのように使用されるかを例示する別の図である。
【図８】識別フォーマットがツリー手法の使用によって仮想ブロックを識別するためにどのように使用されるかを例示する別の図である。
【図９】識別フォーマットがツリー手法の使用によって仮想ブロックを識別するためにどのように使用されるかを例示する別の図である。
【発明を実施するための形態】
【００２９】
図１は、無線通信ネットワーク１００の概略ブロック図を示す。無線通信ネットワーク１００は、基地局１０２およびモバイル端末１０４を含む。基地局１０２は、マイクロプロセッサ１０６、ストレージ１０８、およびアンテナ１１０を含む。モバイル端末１０４は、マイクロプロセッサ１１２およびストレージ１１４を含む。
【００３０】
マイクロプロセッサ１０６は、両方ともストレージ１０８上に格納され、実行のためにマイクロプロセッサ１０６にロードされるコンピュータプログラム製品１１６およびスケジューラ１１８を実行する。モバイル端末１０４のマイクロプロセッサ１１２は、ストレージ１１４上に格納され、実行のためにマイクロプロセッサ１１２にロードされるコンピュータプログラム製品１２０を実行する。
【００３１】
アンテナ１１０は、モバイル端末１０４への無線接続を確立するために利用され、したがって、複数の無線リソース１２２を提供する。複数の無線リソース１２２は、相互に関して直交であり、ＯＦＤＭ方式の使用によって情報をモバイル端末１０４に送信するために搬送波として利用されうるサブキャリアの帯域に関してもよい。代替として、複数の無線リソース１２２は、符号分割多元接続（ＣＤＭＡ）方式の使用によって情報をモバイル端末１０４に送信するために利用されうる複数の符号に関してもよい。
【００３２】
モバイル端末１０４との通信のために、複数の無線リソース１２２の全ての無線リソースが利用されることになるわけではない。具体的には、複数の無線リソース１２２のうちの選択された無線リソースがモバイル端末１０４との通信のために割り当てられることになる。
【００３３】
コンピュータプログラム製品１１６は、複数の無線リソース１２２を１組の区分に論理的に分割するように適応される。１組の区分は、図１に関して示されている例によれば、第１の区分１２４および第２の区分１２６から成る。さらに、コンピュータプログラム製品は、各区分を１組の仮想ブロックに分割する。第１の区分１２４は、仮想ブロック１２８、１３０、および１３２を含む。第２の区分１２６は、仮想ブロック１３４、１３６、および１３８を含む。各仮想ブロックは、複数の無線リソースのうちの選択された無線リソースに関し、無線リソースは、対応する仮想ブロックに一意に含まれる。したがって、仮想ブロック１２８に含まれた実際の無線リソースは、その他の仮想ブロック１３０から１３８のいずれの１つにも含まれない。
【００３４】
コンピュータプログラム製品１１６は、第１のブロック識別子１４０を第１の区分１２４に、および第２のブロック識別子１４２を第２の区分１２６に割り当てるようにさらに適応される。第１の識別子および第２の識別子、１４０、１４２は、予め提供された識別フォーマット１４４によって第１の区分および第２の区分、１２４および１２６を識別することを可能にする。識別フォーマット１４４は、マイクロプロセッサ１０６にとってアクセス可能であるようにストレージ１４４に機械可読形式で格納される。識別フォーマット１４４は、基地局の製造業者、または基地局によってサービスされる移動局への無線リソースの割当ておよびシグナリングを引き受ける基地局の構成要素の製造業者によって提供されてもよい。
【００３５】
スケジューラ１１８は、その場合、モバイル端末１０４との通信のために１つまたは複数の区分の１つまたは複数の仮想ブロックを割り当てることができる。例えば、スケジューラ１１８は、モバイル端末１０４との通信のために第１の区分１２４の仮想ブロック１３０および１３２を割り当ててもよい。識別フォーマット１４２は、仕様１４６の使用によって仮想ブロック１３０および１３２を識別できるようにする可能性を提供する。
【００３６】
識別フォーマット１４２の一実施例によれば、連続した番号が区分の各仮想ブロックに割り当てられる。したがって、番号「１」が仮想ブロック１２８に割り当てられ、番号「２」が仮想ブロック１３０に割り当てられ、番号「３」が仮想ブロック１３２に割り当てられる。前述の仕様１４６は、その場合、仮想ブロック１３０および１３２を識別するために番号「２」および「３」を含む。
【００３７】
識別フォーマット１４２の他の実施例によれば、連続した番号が区分の各仮想ブロックに割り当てられる。したがって、番号「１」が仮想ブロック１２８に割り当てられ、番号「２」が仮想ブロック１３０に割り当てられ、番号「３」が仮想ブロック１３２に割り当てられる。前述の仕様１４６は、その場合、番号「２」、および仮想ブロック１３０に続くブロックがモバイル端末１０４のために割り当てられるという指示を含む。
【００３８】
次いで、第１のブロック識別子１２４に等しい第１の識別子１４８、および仕様１４６が、メッセージ１５０に入れてモバイル端末１０２に送信された後で、第１の識別子１４８および仕様１４６の使用によって識別可能な実際の仮想ブロックがモバイル端末１０４と基地局１０２との間の通信時に使用される。
【００３９】
モバイル端末１０４は、メッセージ１５０を受信するためにアンテナ（図１には示されていない）を含む。次いで、コンピュータプログラム製品１２０は、メッセージ１５０から第１の識別子１４８および仕様１５０を抽出し、ストレージ１１４上にそのコピーが格納されているとモバイル端末に知られている識別フォーマット１４４の使用によって、第１の識別子１４８および仕様１４６に対応する実際の仮想ブロックを判定できる。次いで、モバイル端末１０４は、基地局１０２とのアップリンクおよびダウンリンク通信時に、モバイル端末のために割り当てられた仮想ブロックを使用できる。
【００４０】
第１の識別子１４８および仕様１４６は、２ビットシーケンスの形でモバイル端末１０４に送信されうる。第１の識別子１４８および仕様１４６は簡単な番号に関するので、２ビットシーケンスの長さは比較的短い。したがって、本発明による方法は、メッセージ１５０の送信のために使用され保持されなければならない基地局のリソースが比較的少数しかないので、特に有利である。
【００４１】
複数の無線リソース１２２を区分および仮想ブロックに分割し、仮想ブロックをモバイル端末１０４のために割り当てる機能は、上記で説明された実施例によれば、コンピュータプログラム製品１１６とスケジューラ１１８との間で分割された。したがって、それらの機能が基地局１０２の２つのそれぞれ異なる構成要素によって提供されうることは当業者には明らかである。しかし、両方の機能が単一のコンピュータプログラムによって、および／または基地局１０２の単一の構成要素によって提供されうるであろうことも当業者には明らかである。
【００４２】
図２は、本発明によるモバイル端末と基地局との間の無線通信時に使用されることになる無線リソースをモバイル端末にシグナリングする方法によって実施される諸ステップを例示する流れ図を示す。
【００４３】
ステップ２００によれば、基地局によって提供された複数の無線リソースが１組の区分に分割され、各区分は１組の仮想ブロックを含み、１組の仮想ブロックの各仮想ブロックは複数の無線リソースのうちの１つまたは複数の無線リソースに排他的にマッピングされる。
【００４４】
ステップ２０２によれば、ブロック識別子が１組の区分の各区分に割り当てられ、ステップ２０４によれば、区分の１組の仮想ブロックの１つまたは複数の仮想ブロックの集まりがそれによって識別可能である識別フォーマットが利用される。次いで、ステップ２０６によれば、１組の区分の第１の区分の少なくとも第１の仮想ブロックがモバイル端末と基地局との間の通信のために割り当てられる。第１の区分は、第１のブロック識別子に関連付けられ、少なくとも第１の仮想ブロックは、識別フォーマットによる第１の仕様によって識別可能である。ステップ２０８によれば、第１のブロック識別子および第１の仕様がモバイル端末に送信される。
【００４５】
図３は、複数の無線リソースのうちの無線リソースがどのように様々な区分および仮想ブロックに分割されるかを例示する。基地局によって提供され、ＯＦＤＭスペクトルの１組のサブバンド・キャリアに関してもよい１組の物理リソース・ブロック３００が、複数の物理リソース・ブロック３０２、３０４、３０６などにグループ化される。リソース・ブロックは、図３では、ＰＲＢ０、ＰＲＢ１、．．．、ＰＲＢ１１によって示されている。
【００４６】
１組の物理ブロック３００は、１組の仮想リソース・ブロック３０８にさらに割り当てられる。１組の仮想ブロック３０８は、１組の分散仮想リソース・ブロック（Ｄ−ＶＢＲ）および局部仮想リソース・ブロック（Ｌ−ＶＢＲ）にさらに分割される。図３では、Ｄ−ＶＲＢはＤ−ＶＲＢ０から１１によって示され、Ｌ−ＶＲＢはＬ−ＶＲＢ０からＬ−ＶＲＢ５によって示されている。この実施例によれば、物理リソース・ブロックが２つのＤ−ＶＲＢに、または１つのＬ−ＶＲＢに関連付けられる。例えば、リソース・ブロック３０２（ＰＲＢ０）はＤ−ＶＲＢ３１０（Ｄ−ＶＲＢ０）およびＤ−ＶＲＢ３１２（Ｄ−ＶＲＢ１）に関連付けられ、リソース・ブロック３０６（ＰＲＢ４）はＬ−ＶＲＢ３１４（Ｌ−ＶＲＢ０）に関連付けられる。
【００４７】
さらに、１組の仮想ブロック３０８は、等間隔の区分１、２などに分割される。Ｄ−ＶＲＢのブロック・サイズは固定でなくてもよいことが言及されるべきである。その代わりに、それらのサイズは適応可能でもよい。例えば、Ｄ−ＶＲＢ３１０および３１２は、適切な場合はいつでも、１つのＤ−ＶＲＢに併合されてもよい。
【００４８】
モバイル端末との通信のために、対応する基地局に関連付けられたスケジューラは、モバイル端末のために１つまたは複数の区分のＤ−ＶＲＢおよび／またはＬ−ＶＲＢを、１つまたは複数の送信時間間隔（ＴＴＩ）のために割り当ててもよい。このようにして、様々なＴＴＩは、純粋なＤ−ＶＲＢから、または純粋なＬ−ＶＲＢから、あるいはそれらの組合せから構成されてよい。
【００４９】
図４は、シグナリング・メッセージ４００のブロック図を示す。シグナリング・メッセージ４００は、受信モバイル端末に関するＩＤ４０２を含む。したがって、モバイル端末は、それ自体をメッセージ４００の宛先として識別できる。さらに、メッセージは、分散送信または局部送信および／あるいは識別フォーマットを示すために使用されるインジケータ４０４を含む。
【００５０】
具体的には、したがって、インジケータは、割り当てられたリソースが純粋なＤ−ＶＲＢから成るか、それとも純粋なＬ−ＶＲＢから成るかを示すために使用される。インジケータ４０４はまた、どの識別フォーマットが利用されるかを示すために利用されてもよい。したがって、直接シグナリングか、ビットマップ・シグナリングか、ツリーベースのシグナリングか、それとも何か他のものが利用される。直接シグナリングか、ビットマップ・シグナリングか、それともツリーベースのシグナリングが利用されるかの選択は、最も低いシグナリング・オーバヘッドが必要とされるようにシグナリングの方式を選択するアルゴリズムの使用によって行われうるであろう。
【００５１】
シグナリング・メッセージは、図１による第１のブロック識別子および仕様に関するリソース割当てインジケータ４０６を含む。したがって、リソース割当てインジケータ４０６は、区分の識別子および仕様、ならびにモバイル端末のために割り当てられるリソース・ブロックをシグナリングするために利用される。メッセージ４００は、割り当てられた仮想ブロックが受信モバイル端末に関していくつのＴＴＩのために利用されることになるかを示す時間指示４０８をさらに含む。
【００５２】
図５は、ツリー手法の使用によって仮想ブロックを識別するために識別フォーマットがどのように使用されるかを例示する。区分５００は、リソース・グループ（ＲＧ）５０２および１組のＬ−ＶＲＢ５０４を含む。１つまたは複数の無線リソース、例えばサブキャリアから成る物理リソース・ブロック（ＰＲＢ）は、ＬＶＲまたはＤＶＲＢにマッピングされる。ＲＧは、等距離間隔のＤＶＲＢを含む。例えば、ＲＧ０は、Ｄ−ＶＲＢ０およびＤ−ＶＲＢ８を含み、ＲＧ１は、Ｄ−ＶＲＢ１およびＤ−ＶＲＢ９を含む（図３参照）。したがって、各ＲＧは各区分のＤ−ＶＲＢを含む。
【００５３】
識別フォーマットは、区分ごとに定義されるツリー構造５０６を提供する。ツリー構造５０６の最下行は、番号が１組のＲＧ５０２のＲＧに１対１の関係で割り当てられうるように０から７までの間の範囲内の番号を含む。例えば、ＲＧ５０８（区分５００内のＲＧ０）は番号０に関連付けられ、ＲＧ５１０は番号１に関連付けられ、ＲＧ５１２は番号２に関連付けられ、ＲＧ７  ５１２は番号７に関連付けられる。ＲＧ５０８は、区分５００にあるＲＧ０にマッピングされた無線リソースに関するだけであることに留意されたい。したがって、ＲＧ５０８は、実際は、図３のＤ−ＶＲＢ０、３１０に対応する。区分５００のＲＧ０がモバイル端末との通信のために割り当てられたことをモバイル端末にシグナリングするためには、ツリー構造５０６によってＲＧ０に割り当てられた番号および区分５００のためのブロック識別子をシグナリングするだけで十分である。  
【００５４】
その代わりに、ブロック識別子なしで番号「０」だけがシグナリングされた場合は、完全なＲＧ０がモバイル端末のために割り当てられたことが示される。ツリー構造は、区分ごとのブロック識別子と共に、モバイル端末のために割り当てられるＲＧを指定するために非常に様々な可能性に対応できることが当業者によって理解される。
【００５５】
例えば、ＲＧ５０８〜５１２がモバイル端末のために割り当てられた場合は、区分５００のブロック識別子と共に、ツリー構造５０６の下から３番目の行の番号「１５」をモバイル端末にシグナリングするだけで十分である。したがって、本方法は、２つの短い番号の使用のみによって、割り当てられたＲＧがモバイル端末にシグナリングされうるので、特に有利である。番号「１５」がブロック識別子なしでシグナリングされる場合は、全ての区分の全てのＲＧ０、ＲＧ１、およびＲＧ２の割当てがシグナリングされる。
【００５６】
識別フォーマットは、代替として、例えば番号１５がシグナリングされる場合、番号１５で終わる「ツリー」の端部にあるＲＧであるＲＧ５０８および５１２だけがモバイル端末のために割り当てられると指定できるであろう。
【００５７】
図６は、ツリー手法の使用によって仮想ブロックを識別するために識別フォーマットがどのように使用されるかの別の説明図を提供する。複数の無線リソースが４つの区分に分割されたと仮定し、図６には第１の区分６００および第２の区分６０６が示されている。第１の区分６００は、１組のリソース・グループ（ＲＧ）６０２および１組のＬ−ＶＲＢ６０４を有する。第２の区分６０６は、１組のＲＧ６０８を含む。１組のＲＧ６０２および１組のＲＧ６０８は両方ともＲＧ０からＲＧ７を含むが、１組のＲＧ６０２のＲＧ０は、様々な物理リソースに関する。１組のＲＧ６０８のＲＧ０。
【００５８】
識別フォーマットは、ツリー構造６１０を提供する。ツリー構造６１０の最下行の番号が各組のＲＧの１つのＲＧに割り当てられる。したがって、番号０がＲＧ０のＤ−ＶＲＢ０に割り当てられ（図３参照）、番号１がＲＧ０のＤ−ＶＲＢ８に割り当てられる。
【００５９】
ツリー構造６１０によって番号９がモバイル端末にシグナリングされた場合は、全ての４つの区分の完全なＲＧ０がモバイル端末のために割り当てられたことがモバイル端末に示される。次いで、ツリー構造６１０によって番号４がシグナリングされた場合は、ＲＧ０のＤ−ＶＲＢ０およびＤ−ＶＲＢ８（第１の区分６００および第２の区分６０６内のＲＧ０の一部分）だけが端末のために割り当てられたことが示される。
【００６０】
図７は、ツリー手法の使用によって仮想ブロックを識別するために識別フォーマットがどのように使用されるかの別の説明図を提供する。複数の無線リソースは、第１の区分７００、第２の区分７０２、および第３の区分７０４を含む１組の区分に分割される。第１の区分７００は１組のＲＧ７０６を含み、第２の区分７０２は１組のＲＧ７０８を含み、第３の区分７０４は１組のＲＧ７１０を含む。具体的には、１組のＲＧ７０６は、第１の区分７００にあるＲＧ０、ＲＧ１、およびＲＧ２のＤ−ＶＲＢを含む。１組のＲＧ７０８は、第２の区分７０２にあるＲＧ０、ＲＧ１、およびＲＧ２のＤ−ＶＲＢを含む。１組のＲＧ７１０は、第３の区分７０４にあるＲＧ０、ＲＧ１、およびＲＧ２のＤ−ＶＲＢを含む。
【００６１】
ツリー構造７１２はその最下行に、１つの番号が１組のＲＧ７０６、７０８、７１０などのＲＧの各Ｄ−ＶＲＢに割り当てられうるように１組の番号を提供する。
【００６２】
したがって、ＤＶＲＢだけがモバイル端末のために割り当てられ、ツリー構造７１２によってツリー手法が利用される場合、割り当てられたＤ−ＶＲＢに割り当てられた番号をモバイル端末にシグナリングするだけで十分である。
【００６３】
さらに、複数のＤ−ＶＲＢがモバイル端末のために割り当てられたことを示すことが単一の番号をシグナリングすることによって可能である。例えば、番号１７が割り当てられた場合は、ツリー構造７１２によって１組のリソース・グループ７０６のＤ−ＶＲＢがモバイル端末のために割り当てられたことが示される。
【００６４】
図８は、ツリー手法の使用によって仮想ブロックを識別するために識別フォーマットがどのように使用されるかのさらに別の説明図を提供する。基地局によって提供された複数の無線リソースが、第１の区分８００を含む１組の区分に分割される。第１の区分８００は、１組のＬ−ＶＲＢ８０２を有する。ツリー構造８０４は、その最下行に、１組のＬ−ＶＲＢの各Ｌ−ＶＲＢに１対１の関係で割り当てられる１組の番号を提供する。１組のＬ−ＶＲＢのうちの１つのＬ−ＶＲＢが割り当てられたことをモバイル端末にシグナリングするために、基地局は、ツリー構造８０４によってＬ−ＶＲＢに割り当てられた番号をモバイル端末に送信してもよい。さらに、ツリー構造８０４の上部の行にある番号は、複数のＬ−ＶＲＢがモバイル端末のために割り当てられたことをシグナリングするために使用されうる。例えば、番号１３が、区分８００のためのブロック識別子と共に、モバイル端末に送信される場合は、区分８００のＬ−ＶＲＢ２、Ｌ−ＶＲＢ３およびＬ−ＶＲＢ４が端末のために割り当てられることが示される。
【００６５】
図９は、ツリー手法の使用によって仮想ブロックを識別するために識別フォーマットがどのように使用されるかの別の説明図を提供する。基地局によって提供された複数の無線リソースは、第１の区分９００および第２の区分９０２を含む１組の区分に分割される。第１の区分９００は第１の組のＬ−ＶＲＢ９０４を有し、第２の区分９０２は第２の組のＬ−ＶＲＢ９０６を有する。
【００６６】
ツリー構造９０８はその最下行に、第１の組および第２の組のＬ−ＶＲＢ９０４、９０６の各Ｌ−ＶＲＢに１対１の関係で割り当てられる１組の番号を提供する。２組のＬ−ＶＲＢ９０４、９０６のうちのどのＬ−ＶＲＢが割り当てられたかをモバイル端末にシグナリングするために、基地局は、ツリー構造９０８によってＬ−ＶＲＢに割り当てられた番号をモバイル端末に送信してもよい。
【００６７】
さらに、複数のＬ−ＶＲＢがモバイル端末のために割り当てられたことをシグナリングするためにツリー構造９０８の上部の行にある番号が使用されうる。例えば、番号５がモバイル端末に送信される場合は、第１の区分９００のＬ−ＶＲＢ１および第２の区分９０２のＬ−ＶＲＢ０が端末のために割り当てられることが示される。
【符号の説明】
【００６８】
１００  通信ネットワーク
１０２  基地局
１０４  モバイル端末
１０６  マイクロプロセッサ
１０８  ストレージ
１１０  アンテナ
１１２  マイクロプロセッサ
１１４  ストレージ
１１６  コンピュータプログラム製品
１１８  スケジューラ
１２０  コンピュータプログラム製品
１２２  複数の無線リソース
１２４  第１の区分
１２６  第２の区分
１２８  仮想ブロック
１３０  仮想ブロック
１３２  仮想ブロック  １３４  仮想ブロック
１３６  仮想ブロック
１３８  仮想ブロック
１４０  ブロック識別子
１４２  ブロック識別子
１４４  識別フォーマット
１４６  仕様
１４８  第１のブロック識別子
１５０  メッセージ
３００  １組の物理リソース
３０２  リソース・ブロック
３０４  リソース・ブロック
３０６  リソース・ブロック
３０８  １組の仮想リソース
３１０  分散仮想リソース・ブロック
３１２  分散仮想リソース・ブロック
３１４  局部仮想リソース・ブロック
４００  シグナリング・メッセージ
４０２  識別子
４０４  インジケータ
４０６  リソース割当て識別子
４０８  タイミング・インジケータ
５００  区分
５０２  １組のリソース・グループ
５０４  １組のＬ−ＶＲＢ
５０６  ツリー構造
５０８  リソース・グループ
５１０  リソース・グループ
５１２  リソース・グループ
５１４  リソース・グループ
６００  第１の区分
６０２  １組のリソース・グループ
６０４  １組のＬ−ＶＲＢ
６０６  第２の区分
６０８  １組のリソース・ブロック
６１０  ツリー構造
７００  第１の区分
７０２  第２の区分
７０４  第３の区分
７０６  １組のリソース・グループ
７０８  １組のリソース・グループ
７１０  １組のリソース・グループ
７１２  ツリー構造
８００  第１の区分
８０２  １組のＬ−ＶＲＢ
８０４  ツリー構造
９００  第１の区分
９０２  第２の区分
９０４  第１の組のＬ−ＶＲＢ
９０６  第２の組のＬ−ＶＲＢ
９０８  ツリー構造
【図１】
2010534437.tif 000003
【図２】
2010534437.tif 000004
【図３】
2010534437.tif 000005
【図４】
2010534437.tif 000006
【図５】
2010534437.tif 000007
【図６】
2010534437.tif 000008
【図７】
2010534437.tif 000009
【図８】
2010534437.tif 000010
【図９】
2010534437.tif 000011
【国際調査報告】
2010534437.tif 000012
2010534437.tif 000013